(57)【特許請求の範囲】
【請求項１】
冷蔵庫本体と、
この本体の貯蔵室を区画し、前面に中仕切鋼板を有する中仕切壁と、
前記貯蔵室に設けられ、食品収納ケースを載置するフレームが取り付けられた引き出し扉と、
前記本体に設けられ、前記フレームを下方より支持する固定ローラーと、
前記中仕切壁に設けられ、前記固定ローラーを収納し、前記中仕切壁とは別部品で形成された固定ローラー収納部と、
前記固定ローラー収納部の底部に形成され、該固定ローラー収納部に流入した水を排出するための水抜き穴と、
この水抜き穴の下に配置された水溜め部と、
この水溜め部に設けられ、前記中仕切鋼板へ溜まった水を導く溝と、
前記中仕切鋼板の背面に設けられ、該中仕切鋼板へ導かれた水を蒸発させる加熱部と、
前記フレームの後部に設けられ、前記引き出し扉を引出した状態で、前記固定ローラーに当接してストッパーとなる凸部と、
を備えたことを特徴とする冷蔵庫。
【請求項２】
冷蔵庫本体と、
この本体の貯蔵室を区画し、前面に中仕切鋼板を有する中仕切壁と、
前記貯蔵室に設けられ、食品収納ケースを載置するフレームが取り付けられた引き出し扉と、
前記本体に設けられ、前記フレームを下方より支持する固定ローラーと、
前記中仕切壁に設けられ、前記固定ローラーを収納し、前記中仕切壁とは別部品で形成された固定ローラー収納部と、
前記中仕切壁に設けられ、前記固定ローラーと同程度の幅を有した支持部と、
前記フレームの後部に設けられ、前記引き出し扉を引出した状態で、前記固定ローラーに当接してストッパーとなる凸部と、
を備え、前記支持部を介して前記中仕切鋼板にて、前記食品収納ケースを載置するフレームを支持することを特徴とする冷蔵庫。
【発明の詳細な説明】
【技術分野】
【０００１】
この発明は、冷蔵庫に係り、特に引出し扉装置に関するものである。
【背景技術】
【０００２】
図７は、実開平１−１３４８８９号公報に示された従来の冷蔵庫の引出し扉装置を示す断面図である。図において、１は冷蔵庫本体、２は内箱３と外箱４との間に充填された断熱材、５は内箱３の両側壁へ一対に固定されたレール部であり、フレーム６の後部へ設けた移動ローラー７が摺動する。
【０００３】
８は下側中仕切壁９の両端へ埋設された本体側固定ローラーで、軸８ａを介して下側中仕切壁９へ取付けられ前記フレーム６の第１フランジ部６ａが摺動する。１０は左右のフレーム６の第２フランジ部６ｂの内側及び第１フランジ部６ａの上に載置されたケースで、ケース１０の両側下側コーナー部を覆うようにフレーム６が略Ｌ字形の形状で位置している。
【特許文献１】実開平０２−０２４２８３号公報
【発明の開示】
【発明が解決しようとする課題】
【０００４】
従来の冷蔵庫の引出し扉装置は以上のように構成されているので、固定ローラー８へ引出し扉の荷重が常に掛かり、また引出し扉の開閉により固定ローラー取付部が摩耗するため、下側中仕切壁９は強固で対摩耗性の強い材料を使用する必要があり、コスト等の関係上ＰＰ（ポリプロピレン）等の材料で対応しなければならなかった。
このため、客先等で固定ローラー取付部が摩耗もしくは破損した場合には、製品本体を交換するしか手段が無く、サービス性は皆無に等しかった。
【０００５】
さらに、ローラー取付部は凹形状であるため、凹部へ水が溜まりやすく不衛生であり、もし仮にローラー取付部が冷凍室であった場合、水が氷結することにより固定ローラー８が全く摺動せず、引出し扉の開閉が非常に困難になると云う問題があった。
【０００６】
また、近年、野菜室、切替室等、冷蔵庫の中段部へ引出し式の大きなケースを備えた製品が増えており、引出し扉の支持部（ローラー取付部、フレーム等）へは多大な負担が掛かっている。さらに、引出し扉を引出した状態で、引出し扉へ子供がぶらさがる等、過大な荷重が掛かる可能性があり、引出し扉の支持部を補強する必要があった。特に固定ローラー取付部を支持している下側中仕切壁９は、ＰＰ等の合成樹脂である為、耐衝撃性に劣り、固定ローラー取付部周辺が変形、及び破損することがあった。
【０００７】
この発明は、かかる問題点を解消するためになされたもので、引き出し扉を引出した状態で、引出し扉が外部へ落ちない冷蔵庫を提供することを目的とする。
【課題を解決するための手段】
【０００８】
この発明に係る冷蔵庫は、冷蔵庫本体と、この本体の貯蔵室を区画し、前面に中仕切鋼板を有する中仕切壁と、貯蔵室に設けられ、食品収納ケースを載置するフレームが取り付けられた引き出し扉と、本体に設けられ、フレームを下方より支持する固定ローラーと、中仕切壁に設けられ、固定ローラーを収納し、中仕切壁とは別部品で形成された固定ローラー収納部と、フレームの後部に設けられ、引き出し扉を引出した状態で、固定ローラーに当接してストッパーとなる凸部と、を備えたものである。
【発明の効果】
【０００９】
この発明に係る冷蔵庫は、引き出し扉を引出した状態で、固定ローラーに当接してストッパーとなる凸部を備えた構成により、引出し扉が外部へ落ちない。
【発明を実施するための最良の形態】
【００１０】
実施の形態１．
以下、この発明の実施の形態１を図について説明する。
図１はこの発明の実施の形態１による冷蔵庫の引出し扉装置の部分縦断面図である。
図において、１は冷蔵庫本体、２は内箱３と外箱４との間に充填された断熱材、５は内箱３の両側壁へ一対に固定されたレール部であり、フレーム６の後部へ設けた移動ローラー７が摺動する。８は下側中仕切壁９の両端へ埋設された本体側固定ローラーで、軸８ａを介して下側中仕切壁９へ取付けられ前記フレーム６の第１フランジ部６ａが摺動する。１０は左右のフレーム６の第２フランジ部６ｂの内側及び第１フランジ部６ａの上に載置されたケースで、ケース１０の両側下側コーナー部を覆うようにフレーム６が略Ｌ字形の形状で位置している。
【００１１】
１１は下側中仕切壁９の両端へ埋設された固定ローラー収納部であるローラー収納ボックスで、本体側固定ローラー８は、ローラー収納ボックス１１のツメ１１ａで係合された軸８ａを介してローラー収納ボックス１１へ取付けられる。ローラー収納ボックス１１は、下側中仕切壁９の床面より高くしたフランジ部１１ｂを形成しているため、下側中仕切壁９より伝わる水をローラー収納ボックス１１内へ進入しないように防止している。
【００１２】
また、１１ｃはローラー収納ボックス１１の前部と横部に設けたＬ字形のリブで、引出し扉を引出した時の左右のブレをフレーム６と当接させることにより抑制している。
【００１３】
図２は引出し扉装置の部分横断面図で、１１ｄはローラー収納ボックス１１の前後のフランジ部１１ｂの下側に形成されたツメで、ローラー収納ボックス１１と下側中仕切壁９を嵌合している。
【００１４】
また、ローラー収納ボックス１１の底には、水抜き開口部である水抜き穴１１ｅが設置されており、仮に下側中仕切壁９から伝わってきた水がローラー収納ボックス１１へ進入しても、水抜き穴１１ｅからその下に配置された水溜め部１２へ水を抜くことにより、ローラー収納ボックス内を衛生的に保っている。
【００１５】
尚、水溜め部１２には、下側中仕切壁９の前面に位置する中仕切鋼板１４へ溜まった水を導く溝９ａが設けられており、導かれた水は、中仕切鋼板１４の背面に設置されたヒーター１５（もしくは放熱パイプ）により蒸発し、下側中仕切壁９と中仕切鋼板１４の隙間から庫外へと排出される。
【００１６】
図３はローラー収納ボックス１１の斜視図で、ローラー収納ボックス１１の交換方法を示している。ローラー収納ボックス１１は、ツメ１１ｄの上端と両端に隙間を作ることにより弾力を持たせ、下側中仕切壁９へ嵌合している。このため、ローラー収納ボックスを交換する場合には、ツメ１１ｄの上部を工具（Θドライバー等）１３で押し込み、ローラー収納ボックス１１を上側へ引き出せばよい。
【００１７】
図４は引出し扉装置の引出し扉１６を引出した状態図で、フレーム６及びフレーム６へ取付けた移動ローラー７を固定ローラー８とレール５で支持する構造となっている。また、フレーム６の後部には凸部６ｃが設けてあり、この凸部６ｃが固定ローラー８に当り引出し時のストッパーとなっている。
【００１８】
図５は引出し扉１６を引出し、例えば子供が引出し扉１６にぶらさがる等、引出し扉１６に過大な荷重が掛かった時の状態図で、固定ローラー８（ローラー収納ボックス１１）へ掛かる荷重を、ローラー収納ボックス１１のフランジ１１ｂを介して中仕切鋼板１４で受けることにより、下側中仕切壁９のローラー収納ボックス１１周辺の変形、及び破損を防止している。
【００１９】
図６は、前記ローラー収納ボックス１１のフランジ１１ｂに相当する支持部を、下側中仕切壁９へ固定ローラー８と同程度の幅を有した凸部として形成したもので、この凸部９ｂを介して中仕切鋼板１４が荷重を受けることにより、下側中仕切壁９のローラー収納ボックス１１周辺の変形、及び破損を防止している。
【００２０】
この発明に係る冷蔵庫は、冷蔵庫本体と、この本体の貯蔵室を区画する中仕切壁と、貯蔵室に設けられ、食品収納ケースを載置するフレームが取り付けられた引き出し扉と、本体に設けられ、フレームを下方より支持する固定ローラーと、中仕切壁に設けられ、固定ローラーを収納し、中仕切壁とは別部品で形成された固定ローラー収納部とを備えたものである。
【００２１】
この発明に係る冷蔵庫は、上記構成により、固定ローラー収納部のみ交換することが可能であり、サービス性を改善することができる。
【００２２】
また、固定ローラー収納部は、固定ローラーの周囲に中仕切壁の床面より高いフランジ部を形成したものである。
【００２３】
上記構成により、固定ローラー収納部を衛生的に保つことができる。
【００２４】
また、固定ローラー収納部の底部に、固定ローラー収納部に流入した水を排出するための水抜き開口部を形成したものである。
【００２５】
上記構成により、引出し扉を引出した状態において、引出し扉へ過大な荷重が掛かった場合でも、中仕切部の変形、及び破損を防止できる。
【００２６】
また、中仕切部の固定ローラー収納部前側に、食品収納ケースを載置するフレームの下側に位置する支持部を形成したものである。
【００２７】
上記構成により、引出し扉を引出した状態において、引出し扉へ過大な荷重が掛かった場合でも、中仕切部の変形、及び破損を防止できる。
【図面の簡単な説明】
【００２８】
【図１】この発明の実施の形態１による冷蔵庫の引出し扉装置の部分縦断面図である。
【図２】この発明の実施の形態１による冷蔵庫の引出し扉装置の部分横断面図である。
【図３】この発明の実施の形態１による冷蔵庫の引出し扉装置のローラー収納ボックスの斜視図である。
【図４】この発明の実施の形態１による冷蔵庫の引出し扉装置の部分横断面図で、引出し扉を引出した状態図である。
【図５】この発明の実施の形態１による冷蔵庫の引出し扉装置の部分横断面図で、引出し扉を引出し荷重を掛けた状態図である。
【図６】この発明の実施の形態１による冷蔵庫の引出し扉装置の部分横断面図で、引出し扉を引出した状態図である。
【図７】従来の冷蔵庫の引出し扉装置の正面断面図である。
【符号の説明】
【００２９】
１  冷蔵庫本体、２  断熱材、３  内箱、４  外箱、５  レール、５ａ  ストッパー、６  フレーム、６ａ  第１フランジ部、６ｂ  第２フランジ部、６ｃ  凸部、７  移動ローラー、８  固定ローラー、８ａ  軸、９  下側中仕切壁、９ａ  溝、９ｂ  凸部、１０  ケース、１１  ローラー収納ボックス、１１ａ  ツメ、１１ｂ  フランジ、１１ｃ  リブ、１１ｄ  ツメ、１１ｅ  水抜き穴、１２  水溜め部、１３  工具、１４  中仕切鋼板、１５  ヒーター、１６  引出し扉。
【図１】
0004567779.tif 000002
【図２】
0004567779.tif 000003
【図３】
0004567779.tif 000004
【図４】
0004567779.tif 000005
【図５】
0004567779.tif 000006
【図６】
0004567779.tif 000007
【図７】
0004567779.tif 000008